(57)【要約】【課題】  電子部品と電気ケーブルとを接続する際に、簡易な構成で電子部品とこれらの接続部分とを収納することが可能であり、接続作業が容易な電子部品収容ケースを提供する。【解決手段】  電子部品収容ケースＡは、電子部品Ｅが配置される電子部品用底面部と、電気ケーブルＣ，Ｃが配置される電気ケーブル用底面部と、を備えたケース本体１０と、電子部品用天面部と、電気ケーブル用天面部と、を備えた蓋部材２０と、を備え、ケース本体１０と蓋部材２０とが組み付けられた状態で、電子部品用底面部および電子部品用天面部が電子部品収容部を構成するとともに、電気ケーブル用底面部および電気ケーブル用天面部が電気ケーブル収容部を構成する。【選択図】      図３
2006216914.tif 000002
【特許請求の範囲】
【請求項１】
電気ケーブルの被覆部材を除去し、露出した導線に電子部品を電気的に接続する際に用いられる電子部品収容ケースであって、
前記電子部品を収容する電子部品収容部と、
前記電気ケーブルを挿通させた状態で前記電気ケーブルの被覆部材が除去された部分を収容する電気ケーブル収容部と、
を備えていることを特徴とする電子部品収容ケース。
【請求項２】
前記電子部品収容部の内部空間と前記電気ケーブル収容部の内部空間とは連通していることを特徴とする請求項１に記載の電子部品収容ケース。
【請求項３】
前記電気ケーブルの軸線方向への移動を規制する移動規制手段をさらに備えていることを特徴とする請求項１または請求項２に記載の電子部品収容ケース。
【請求項４】
前記電気ケーブルが配置される電気ケーブル用底面部を備えたケース本体と、
電気ケーブル用天面部を備えた蓋部材と、
を備え、
前記ケース本体と前記蓋部材とが組み付けられた状態で、前記電気ケーブル用底面部および前記電気ケーブル用天面部が前記電気ケーブル収容部を構成することを特徴とする請求項１から請求項３のいずれか一項に記載の電子部品収容ケース。
【請求項５】
前記ケース本体は、前記電子部品が配置される電子部品用底面部を備えており、かつ、前記蓋部材は、電子部品用天面部を備えており、
前記ケース本体と前記蓋部材とが組み付けられた状態で、前記電子部品用底面部および前記電子部品用天面部が前記電子部品収容部を構成することを特徴とする請求項４に記載の電子部品収容ケース。
【発明の詳細な説明】
【技術分野】
【０００１】
本発明は、電気ケーブルと電子部品とを接続する際に用いられる電子部品収容ケースに関する。
【背景技術】
【０００２】
従来、電子機器に発生するノイズを低減させるため、電子機器にノイズ低減用の電子部品を接続することが行われている。
【０００３】
特許文献１に開示されたシェルフは、電子機器と電子回路パッケージ（電子部品）とを互いに接続する際に用いられるものであり、これらを接続するため、信号ケーブル（電気ケーブル）とコネクタとが別途設けられている。シェルフは、複数の電子部品をコネクタと接続可能な状態で収容している。
【０００４】
また、特許文献２に開示された箱型ノイズフィルタは、ケーブル（電気ケーブル）を切断し、切断した電気ケーブルの間にコイルおよびコンデンサを備えた電子部品を介設する際に用いられるものであり、電子部品と２本の電気ケーブルの接続端部とを収容している。
【特許文献１】特開平１−２７６７９４号公報（第３頁左下欄第２０行目〜第４頁左上欄第１３行目、第１図、第２図）
【特許文献２】実開平３−５１５１６号公報（第３頁７行目〜第８頁７行目、第１図）
【発明の開示】
【発明が解決しようとする課題】
【０００５】
しかしながら、特許文献１に記載のシェルフでは、電子機器と電子部品とを互いに接続するために別途電気ケーブルおよびコネクタを用意する必要があり、部品点数が多くなるという問題があった。
【０００６】
また、特許文献２に記載の箱型ノイズフィルタでは、電子部品を接続するために電気ケーブルを切断し、切断した電気ケーブルと電子部品とを接続する必要があり、作業が煩雑であるという問題があった。
【０００７】
本発明は、前記した問題を解決すべく創案されたものであり、電子部品と電気ケーブルとを接続する際に、簡易な構成で電子部品とこれらの接続部分とを収容することが可能であり、接続作業が容易な電子部品収容ケースを提供することを課題とする。
【課題を解決するための手段】
【０００８】
前記課題を解決するため、本発明の請求項１に記載の発明は、電気ケーブルの被覆部材を除去し、露出した導線に電子部品を電気的に接続する際に用いられる電子部品収容ケースであって、前記電子部品を収容する電子部品収容部と、前記電気ケーブルを挿通させた状態で前記電気ケーブルの被覆部材が除去された部分を収容する電気ケーブル収容部と、を備えていることを特徴とする。
【０００９】
ここでいう「収容」とは、電子部品や電気ケーブルの被覆部材が除去された部分を保護可能に覆っていることを指し、電子部品収容ケース全体で電子部品および電気ケーブルの被覆部材が除去された部分を保護可能に覆っていれば良い。また、電子部品収容ケースは、電子部品やケーブルの被覆部材が除去された部分を、電気ケーブルの接続を保ちつつ外部に対して絶縁可能に覆っていることが望ましい。
また、ここでいう「電気ケーブルを挿通させた状態」とは、電気ケーブルの被覆部材が除去された部分が電気ケーブル収容部内に位置しつつ、電気ケーブルの両側が電気ケーブル収容部に設けられた二つの開口から外に出ている状態を指す。
【００１０】
電子部品収容ケースは、電子部品収容部に電子部品を収容し、電気ケーブル収容部に電気ケーブルの被覆部材が除去された部分、すなわち、電子部品と接続するために露出した導線の露出部分を収容しつつ、電子部品と電気ケーブルの露出した導線とを適宜な電気的接続手段（例えば、後記する実施形態におけるタブ端子およびリセプタクル端子の組み合わせや、半田付けなど）を使用して接続することができる。
このようにすることで、別途電気ケーブルやコネクタを用意する必要がなくなり、部品点数を削減することができる。また、電気ケーブルを切断する必要もなく、接続作業が容易となる。
【００１１】
また、請求項２に記載の発明は、請求項１に記載の電子部品収容ケースであって、前記電子部品収容部の内部空間と前記電気ケーブル収容部の内部空間とは連通していることを特徴とする。
【００１２】
このように、電子部品収容部の内部空間と電気ケーブル収容部の内部空間とが連通しているので、電子部品と電気ケーブルとの接続が容易である。
【００１３】
また、請求項３に記載の発明は、請求項１または請求項２に記載の電子部品収容ケースであって、前記電気ケーブルの軸線方向への移動を規制する移動規制手段をさらに備えていることを特徴とする。
【００１４】
このようにすることで、電気ケーブルの電子部品収容部に対する軸線方向への相対移動を規制することができる。したがって、電子部品と電気ケーブルとが断線することを防ぐことができる。
【００１５】
また、請求項４に記載の発明は、請求項１から請求項３のいずれか一項に記載の電子部品収容ケースであって、前記電気ケーブルが配置される電気ケーブル用底面部を備えたケース本体と、電気ケーブル用天面部を備えた蓋部材と、を備え、前記ケース本体と前記蓋部材とが組み付けられた状態で、前記ケーブル用底面部および前記ケーブル用天面部が前記電気ケーブル収容部を構成することを特徴とする。
【００１６】
このようにすることで、電気ケーブルをケース本体に配置した状態でケース本体と蓋部材とを組み付けることによって電気ケーブルを収容することができる。したがって、電気ケーブルの収容作業が容易となる。
【００１７】
また、請求項５に記載の発明は、請求項４に記載の電子部品収容ケースであって、前記ケース本体は、前記電子部品が配置される電子部品用底面部を備えており、前記蓋部材は、電子部品用天面部を備えており、前記ケース本体と前記蓋部材とが組み付けられた状態で、前記電子部品用底面部および前記電子部品用天面部が前記電子部品収容部を構成することを特徴とする。
【００１８】
このようにすることで、電子部品および電気ケーブルをケース本体に配置し、接続した状態でケース本体と蓋部材とを組み付けることによって電子部品および電気ケーブルを収容することができる。したがって、電子部品および電気ケーブルの収容作業が容易となる。
【発明の効果】
【００１９】
本発明によれば、電子部品と電気ケーブルとを電気的に接続する際に、簡易な構成で電子部品とこれらの接続部分とを収容することが可能であり、接続作業が容易な電子部品収容ケースを提供することができる。
【発明を実施するための最良の形態】
【００２０】
以下、本発明の実施形態について、適宜図面を参照しながら説明する。同様の部分には同一符号を付し、重複する説明を省略する。また、以下の説明における位置・方向に関する表現として、図２に示すように「上、下、前、後、左、右」を設定し、この設定に従って説明する。この設定は、電子部品収容ケースの通常の使用状態を想定したものであり、各構成要素の相対関係が保たれている範囲内で変更可能である。
【００２１】
（基本概念）
まず、本発明の実施形態に係る電子部品収容ケースの基本概念について説明する。図１は、本発明の実施形態に係る電子部品収容ケースの基本概念を説明するための図であり、（ａ）は電子部品収容ケースの使用前の状態を示す図、（ｂ）は電子部品収容ケースの使用後の状態を示す図である。
本発明の実施形態に係る電子部品収容ケースＡは、図１（ａ）に示すように、電子機器Ｄと電源Ｓとが電気ケーブルＣ，Ｃを介して電気的に接続されている回路においてノイズが発生した場合に、図１（ｂ）に示すように、電気ケーブルＣ，Ｃを切断することなく電子部品Ｅ（ここでは、コンデンサ）を接続し、ノイズを低減させる際に用いられ、電気ケーブルＣ，Ｃの所定部位および電子部品Ｅを収容する。
【００２２】
（電子部品収容ケースＡ）
続いて、本発明の実施形態に係る電子部品収容ケースＡの概略について説明する。図２は、本発明の実施形態に係る電子部品収容ケースを示す斜視図である。
図２に示すように、電子部品収容ケースＡは、電子部品Ｅ（図１参照）を収容する電子部品収容部１と、電子部品Ｅと電気ケーブルＣ，Ｃとを接続するためのタブ端子とリセプタクル端子の一部とを収容するタブ端子収容部２，２と、タブ端子およびリセプタクル端子を介して電子部品Ｅと接続される電気ケーブルＣ，Ｃの所定部位（被覆部材が除去された部分、すなわち、電子部品Ｅと接続するために露出した導線の露出部分）を収容する電気ケーブル収容部３，３と、を備えている。
【００２３】
続いて、電子部品収容ケースＡの詳細について説明する。図３は、図２の電子部品収容ケースを示す分解斜視図である。図４は、図３のケース本体の平面図である。図５は、図３の蓋部材の平面図である。図６は、図２のＸ１−Ｘ１断面図である。図７は、ケース本体と蓋部材との組付を説明するための図であり、（ａ）は組付前を示す図、（ｂ）は組付後を示す図である。なお、図７（ａ）、（ｂ）において、ケース本体１０は図２におけるＸ２矢視図であり、蓋部材２０は図２におけるＸ３−Ｘ３断面図である。
図３に示すように、電子部品収容ケースＡは、電子部品Ｅ、タブ端子Ｔ，Ｔ、リセプタクル端子Ｒ，Ｒおよび電気ケーブルＣ，Ｃの所定部位を収容するためのものであり、ケース本体１０と、蓋部材２０と、を備えている。
【００２４】
（ケース本体１０）
まず、図３、図４および図６を参照して、ケース本体１０について説明する。
ケース本体１０は、絶縁材料（合成樹脂など）から形成された平面視略矩形の一体成形品であり、電子部品用底面部１１と、タブ端子用底面部１２，１２と、電気ケーブル用底面部１３，１３と、第一壁部１４，１４と、第二壁部１５，１５と、第三壁部１６，１６と、を備えている。
【００２５】
電子部品用底面部１１（以下、「底面部１１」と記載する。）は、ケース本体１０の中央部に形成されており、その上面に電子部品Ｅの本体部Ｅ１が配置される。
【００２６】
タブ端子用底面部１２，１２（以下、「底面部１２」と記載する。）は、底面部１１の電気ケーブル軸線方向両側（左右両側）に形成され（図４参照）、かつ、底面部１１と同じ高さにそれぞれ形成されており（図６参照）、その上面側にタブ端子Ｔ，Ｔがそれぞれ配置される。
【００２７】
各底面部１２の上面には、台座部１２ａと、突起１２ｂと、係止爪１２ｃ，１２ｃと、が形成されている。
【００２８】
台座部１２ａは、底面部１２の中央部分から所定高さに立設されており、その上面にタブ端子Ｔの中央部分が載置される。すなわち、台座部１２ａは、タブ端子Ｔの中央部分を、その下側から支持するようになっており、タブ端子Ｔの一端Ｔａおよび他端Ｔｂは、底面部１２から離間した状態となっている。そのため、タブ端子Ｔの一端Ｔａと電子部品Ｅの接続部Ｅ２との接続、および、タブ端子Ｔの他端Ｔｂとリセプタクル端子Ｒの他端Ｒｂとの接続が容易である。
【００２９】
突起１２ｂは、台座部１２ａの上面に形成されており、タブ端子Ｔの孔Ｔｃに挿通されることによって、タブ端子Ｔの水平方向への移動を規制する。
【００３０】
係止爪１２ｃ，１２ｃは、台座部１２ａの上面に形成されており、タブ端子Ｔの中央部を係止する。これら係止爪１２ｃ，１２ｃは、タブ端子Ｔを係止し、タブ端子Ｔの上下方向への移動を規制する。
なお、タブ端子Ｔのケース本体１０への取付・固定は、台座部１２ａ、突起１２ｂおよび係止爪１２ｃ，１２ｃによるものに限定されず、ビス止め、熱溶着、インサート成形などによるものであっても良い。
【００３１】
電気ケーブル用底面部１３，１３（以下、「底面部１３」と記載する。）は、底面部１１および底面部１２，１２の前後両側に、電気ケーブル軸線方向（左右方向）に延びるように、かつ、底面部１１および底面部１２よりも高く形成されており、その上面に電気ケーブルＣ，Ｃが配置される。
【００３２】
底面部１３は、台座部１２ａよりもやや低くなるように形成されている。この高さの差は、電気ケーブルＣの導線Ｃａおよび被覆部材Ｃｂのそれぞれの径と、タブ端子Ｔおよびリセプタクル端子Ｒの形状と、を考慮して決められる。このようにすることで、電気ケーブルＣを底面部１３上に載置した状態で後記するタブ端子Ｔおよびリセプタクル端子Ｒの高さ位置が合うようになっている。したがって、リセプタクル端子Ｒの高さをタブ端子Ｔに合わせた状態で水平方向に移動させるのみで、リセプタクル端子Ｒとタブ端子Ｔとが電気的に接続されるとともに電気ケーブルＣが底面部１３に載置されるので、これら各端子Ｔ，Ｒの接続と電気ケーブルＣの配置とが容易となる。
【００３３】
第一壁部１４，１４は、底面部１１と底面部１２，１２との境界部分の所定範囲に立設されており、電子部品収容部１の内部空間とタブ端子収容部２，２の内部空間とを仕切るとともに、電子部品収容部１の内部空間と一方のタブ端子収容部２の内部空間とを連通させるように形成されている。
左の第一壁部１４は、底面部１１と左の底面部１２との境界部分に、前後に延びるように形成されている。その前端部は前の第三壁部１６と繋がっており、その後端部は後の第三壁部１６と離隔している。
右の第一壁部１４は、底面部１１と右の底面部１２との境界部分に、前後に延びるように形成されている。その前端部は前の第三壁部１６と離隔しており、その後端部は後の第三壁部１６と繋がっている。
これら各第一壁部１４，１４間の幅は、電子部品Ｅの本体部Ｅ１の幅と略同一となっている。
【００３４】
第二壁部１５，１５は、底面部１２，１２の外端部（左端部および右端部）に立設されている。
左の第二壁部１５は、ケース本体１０の左端部に、前後に延びるように形成されている。その前端部は左の底面部１２と前の底面部１３との境界部分まで延びており、その後端部は後の第三壁部１６と繋がっている。
右の第二壁部１５は、ケース本体１０の右端部に、前後に延びるように形成されている。その前端部は前の第三壁部１６と繋がっており、その後端部は右の底面部１２と後の底面部１３との境界部分まで延びている。
【００３５】
第三壁部１６，１６は、底面部１１および底面部１２，１２と底面部１３，１３との境界部分の所定範囲に立設されており、電子部品収容部１の内部空間およびタブ端子収容部２，２の内部空間と電気ケーブル収容部３，３の内部空間とを仕切るとともに、電気ケーブル収容部３と一方のタブ端子収容部２とを連通させるように形成されている。
前の第三壁部１６は、底面部１１および右の底面部１２と前の底面部１３との境界部分に、左右に延びるように形成されている。その左端部は左の第一壁部１４と繋がっており、その右端部は右の第二壁部１５と繋がっている。
後の第三壁部１６は、底面部１１および左の底面部１２と後の底面部１３との境界部分に、左右に延びるように形成されている。その左端部は左の第二壁部１５と繋がっており、その右端部は右の第一壁部１４と繋がっている。
【００３６】
これら第一壁部１４，１４、第二壁部１５，１５および第三壁部１６，１６は、組付時に蓋部材２０の天面部２１および天面部２２，２２の下面に当接する高さを有している。
そして、第一壁部１４，１４および第三壁部１６，１６は、電子部品Ｅ、タブ端子Ｔ、リセプタクル端子Ｒおよび電気ケーブルＣの不要な接触を防止している。
【００３７】
このケース本体１０における底面部１３の上面と第三壁部１６の外側面との連結部分は、電気ケーブルＣの径に対応する曲率半径を有しており、組付完了時に電気ケーブルＣの外周面に当接する形状となっている。
【００３８】
また、このケース本体１０には、４個の突起１０ａと、２個の突起１０ｂと、８個の突起１０ｃと、が形成されている。
【００３９】
突起１０ａは、ケース本体１０の対向する側面、ここでは底面部１３，１３の外側面（前側面および後側面）に２個ずつ形成されており、組付完了時に蓋部材２０の孔２０ａに挿通される。この状態で、突起１０ａの下面と孔２０ａの内周面下側部分とが当接し、蓋部材２０の上方への移動が規制される。また、突起１０ａは、下に向かうにつれて外側に広がる形状を有しており、組付時に蓋部材２０の第二側壁部２５，２５を外側に弾性変形させる。
【００４０】
突起１０ｂは、第二壁部１５，１５の上面に１個ずつ形成されており、組付完了時に蓋部材２０の切欠き２０ｂ，２０ｂに係合する。これにより、組付完了後にケース本体１０と蓋部材２０とが前後および左右方向にずれないようになっている。
【００４１】
突起１０ｃは、底面部１３，１３から第三壁部１６，１６に延びる形状を有し、電気ケーブル軸線方向（左右方向）に４個ずつ並ぶように形成されており、組付完了時に電気ケーブルＣ，Ｃを径方向に押圧し、電気ケーブルＣ，Ｃの軸線方向への移動を規制する。この突起１０ｃが、特許請求の範囲における「移動規制手段」の一例である。
なお、これら突起１０ａ，１０ｂ，１０ｃの数および形状は、電子部品収容ケースＡのサイズに基づいて適宜決定される。
【００４２】
（蓋部材２０）
続いて、図３、図５、図６および図７を参照して、蓋部材２０について説明する。
蓋部材２０は、絶縁材料（合成樹脂など）から形成された平面視略矩形、図２におけるＸ２矢視で略逆Ｕ字形状の一体成形品であり、電子部品用天面部２１と、タブ端子用天面部２２，２２と、電気ケーブル用天面部２３，２３と、第一側壁部２４，２４と、第二側壁部２５，２５と、を備えている。
【００４３】
電子部品用天面部２１（以下、「天面部２１」と記載する。）は、蓋部材２０の中央部に形成されており、組付完了時に平面視で底面部１１を完全に覆う形状を有している。
【００４４】
タブ端子用天面部２２，２２（以下、「天面部２２」と記載する。）は、天面部２１の電気ケーブル軸線方向両側（左右両側）に、天面部２１と同じ高さに形成されており、組付完了時に平面視で底面部１２，１２を完全に覆う形状を有している。
なお、天面部２１および天面部２２，２２は、必ずしも同じ高さである必要はなく、例えば天面部２２，２２を天面部２１よりも低く形成し、これらを側壁部で繋ぐ構成であっても良い。
【００４５】
電気ケーブル用天面部２３，２３（以下、「天面部２３」と記載する。）は、天面部２１および天面部２２，２２の前後両側に、電気ケーブル軸線方向（左右方向）に延びるように、かつ、天面部２１および天面部２２，２２よりも低く形成されており、組付完了時に平面視で底面部１３，１３を完全に覆う形状を有している。
【００４６】
第一側壁部２４，２４は、天面部２１および天面部２２，２２と天面部２３，２３とを連結する側壁であり、その内側面が、組付完了時に第三壁部１６，１６の外側面の上端部に当接する。
【００４７】
第二側壁部２５，２５は、天面部２３，２３の外端部から下方に延びる側壁であり、その内側面が、組付完了時に底面部１３，１３の外側面に当接する。
【００４８】
この蓋部材２０における天面部２３の下面と第二側壁部２５の内側面との連結部分は、電気ケーブルＣの径に対応する曲率半径を有しており、組付完了時に電気ケーブルＣの外周面に当接する形状となっている。
【００４９】
また、この蓋部材２０には、４個の孔２０ａと２個の切欠き２０ｂとが形成されている。
【００５０】
孔２０ａは、天面部２３から第二側壁部２５に延びる形状を有し、蓋部材２０の前後両側に２個ずつ形成されており、組付完了時にケース本体１０の突起１０ａが挿通され、互いに係合する。
なお、孔２０ａが天面部２３から第二側壁部２５に延びる形状を有しているのは、蓋部材の成形を容易にするためである。孔２０ａの形状は、図示したものに限定されず、突起１０ａと嵌合可能な形状であれば良い。
【００５１】
切欠き２０ｂは、天面部２２の左右両側に１個ずつ形成されており、組付完了時にケース本体１０の突起１０ｂと係合する。
【００５２】
（その他の部材）
続いて、図３を参照して、電子部品収容ケースＡに収容される各部材について説明する。
【００５３】
（電子部品Ｅ）
図３に示すように、電子部品Ｅは、本体部Ｅ１と、本体部Ｅ１の両端に接続された接続部Ｅ２，Ｅ２と、を備えている。
本体部Ｅ１は、特許請求の範囲における「電子部品」の一例であり、本実施形態ではコンデンサである。
接続部Ｅ２は、導電性材料から形成されており、その一端が本体部Ｅ１の上端から出ており、中間部分で側方に折れ曲がり、その他端が下方に向かって延びている。
【００５４】
（タブ端子Ｔ）
図３に示すように、タブ端子Ｔ，Ｔは、導電性材料から形成された雄型の端子である。その一端Ｔａにはスリットが形成されており、このスリットに電子部品Ｅの接続部Ｅ２が差し込まれることによって、互いに接続される。その他端Ｔｂは、リセプタクル端子Ｒの他端Ｒｂに挿入されることによって、互いに接続される。また、その中央部に形成された孔Ｔｃは、突起１２ｂが挿入される。
【００５５】
（リセプタクル端子Ｒ）
リセプタクル端子（リセプタクル、レセプタクルともいう）Ｒ，Ｒは、導電性材料から形成された雌型の端子である。その一端Ｒａは、Ｃ字状となっており、電気ケーブルＣの導線Ｃａに圧着されることによって、互いに接続される。その他端Ｒｂは、タブ端子Ｔの他端Ｔｂに外嵌する部分であり、他端Ｒｂにタブ端子Ｔの他端Ｔｂが挿入されることによって、互いに接続される。
【００５６】
（電気ケーブルＣ）
電気ケーブルＣ，Ｃは、導線Ｃａを絶縁性の被覆部材Ｃｂで被覆した構造を有している。本発明では、所定部位において被覆部材Ｃｂが除去され、露出した導線Ｃａとリセプタクル端子Ｒの一端Ｒａとが電気的に接続される。
【００５７】
続いて、図７を参照し、電子部品収容ケースＡにおけるケース本体１０と蓋部材２０の組付状態について説明する。
ケース本体１０と蓋部材２０とを互いに組み付けるときには、図７（ａ）に示すように、蓋部材２０をケース本体１０の上方に配置し、これらを位置合わせしつつ、蓋部材２０を下方に移動させる。
すると、第二側壁部２５，２５が４個の突起１０ａによって外側に開きつつ、下方に押し込まれる。
そして、突起１０ａが孔２０ａの位置にくると、第二側壁部２５，２５が復元することによって、突起１０ａが孔２０ａに挿通される。これと同時に、２個の突起１０ｂが切欠き２０ｂに係合し、ケース本体１０と蓋部材２０との組付が完了する。これらケース本体１０と蓋部材２０とは脱着可能である。
【００５８】
このように、組付が完了すると、電子部品収容部１、タブ端子収容部２，２および電気ケーブル収容部３，３が形成される。
ここで、電子部品収容部１は、底面部１１と、第一壁部１４，１４と、第三壁部１６，１６と、天面部２１と、から構成される。電子部品収容部１の内部空間は、略直方体形状となっている。
また、タブ端子収容部２は、底面部１２と、第一壁部１４と、第二壁部１５と、第三壁部１６と、天面部２２と、から構成される。タブ端子収容部２の内部空間は、略直方体形状となっている。
また、電気ケーブル収容部３は、底面部１３と、第三壁部１６と、天面部２３と、第二側壁部２５と、から構成される。図７（ｂ）に示すように、電気ケーブル収容部３は、左右方向に延びる内部空間を形成しており、この内部空間は、左右両端で外部に向けて開口している。電気ケーブルＣは、この内部空間に挿通された状態で収容される。そして、電気ケーブル収容部３の内部空間は、電気ケーブルＣの径と略同一の径を有する略円柱形状となっているので、ケース本体１０と蓋部材２０とを組み付けることによって、ケース本体１０および蓋部材２０が電気ケーブルＣを収容する。また、突起１０ｃが電気ケーブルＣの被覆部材Ｃｂを押圧して弾性変形させることによって、電気ケーブルＣの軸線方向への移動が規制される。
そして、電子部品収容部１の内部空間は、タブ端子収容部２の内部空間を介して電気ケーブル収容部３の内部空間と連通している。
【００５９】
図４に示すように、電子部品収容部１の内部空間は、右前部において右側のタブ端子収容部２の内部空間と連通している。また、右側のタブ端子収容部２の内部空間は、後部において後側の電気ケーブル収容部３の内部空間と連通している。
また、電子部品収容部１の内部空間は、左後部において左側のタブ端子収容部２の内部空間と連通している。また、左側のタブ端子収容部２は、前部において前側の電気ケーブル収容部３と連通している。
【００６０】
（接続方法）
続いて、本発明の実施形態に係る電子部品収容ケースＡを用いた、電子部品Ｅと電気ケーブルＣ，Ｃとの接続方法について説明する。図８ないし図１１は、本発明の実施形態に係る電子部品収容ケースを用いた、電子部品と電気ケーブルとの接続方法を説明するための図である。
【００６１】
（タブ端子および電子部品のケース本体への配置、並びに、タブ端子と電子部品との接続工程）
まず、図８に示すように、タブ端子Ｔ，Ｔを台座部１２ａ，１２ａに載置する。この際に、突起１２ｂが孔Ｔｃに挿通されるとともに、係止爪１２ｃ，１２ｃがタブ端子Ｔの中央部分を挟持する。これらタブ端子Ｔ，Ｔとケース本体１０とは脱着可能である。そして、電子部品Ｅの接続部Ｅ２，Ｅ２をタブ端子Ｔ，Ｔの一端Ｔａ，Ｔａに差し込み、これらを電気的に接続するとともに、本体部Ｅ１を底面部１１上に載置する（図１０参照）。ここで、本体部Ｅ１の下面と底面部１１の上面とを接着剤、粘着テープなどで固定しても良い。
【００６２】
（電気ケーブルとリセプタクル端子との接続工程）
一方、図９に示すように、電気ケーブルＣ，Ｃの所定位置の被覆部材Ｃｂ，Ｃｂを除去し、露出した導線Ｃａ，Ｃａにリセプタクル端子Ｒ，Ｒの一端Ｒａ，Ｒａをかしめて圧着させ、これらを電気的に接続する（図１０参照）。
【００６３】
なお、前記した二つの工程は、順不同であり、同時進行であっても良い。
【００６４】
（タブ端子とリセプタクル端子との接続、並びに、電気ケーブルのケース本体への配置工程）
続いて、図１０に示すように、タブ端子Ｔ，Ｔの他端Ｔｂ，Ｔｂとリセプタクル端子Ｒ，Ｒの他端Ｒｂ，Ｒｂとを電気的に接続するとともに、電気ケーブルＣ，Ｃを底面部１３，１３上に載置する（図１１参照）。
【００６５】
（ケース本体と蓋部材との組付工程）
続いて、図１１に示すようにケース本体１０と蓋部材２０とを組み付け、電子部品Ｅ、タブ端子Ｔ，Ｔおよびリセプタクル端子Ｒ，Ｒを収容するとともに、電気ケーブルＣ，Ｃを挿通させた状態で電気ケーブルＣ，Ｃの被覆部材Ｃｂ，Ｃｂが除去された部分を収容する（図２参照）。すなわち、電気ケーブルＣ，Ｃは、電子部品収容ケースＡの電気ケーブル収容部３，３に貫装される。
【００６６】
この電子部品収容ケースＡを用いた電子部品Ｅの接続構造によれば、以下の効果を得ることができる。
（１）  別途ケーブルやコネクタを用意したり、電気ケーブルＣ，Ｃを切断したりすることがなく電子部品Ｅを電気ケーブルＣ，Ｃに接続することができるので、接続作業が容易であり、部品点数およびコストが削減される。また、電気ケーブルＣを長くする必要がないため、ケーブル長の増加に起因するノイズの発生を抑えることができる。
（２）  また、電子部品収容ケースＡは小型で軽量なため、省スペース化が達成されるとともに、ブラケット等で固定する必要がなく、取り付けが容易である。ただし、電子部品収容ケースＡをブラケットで他部材に固定する構成であっても良い。この場合には、例えば底面部１２に孔を設け、固定用のボルトを挿通する構成であっても良い。
（３）  タブ端子Ｔが台座部１２ａに固定されているので、リセプタクル端子Ｒを介して接続された電気ケーブルＣの軸線方向への移動が規制される。すなわち、台座部１２ａ、突起１２ｂ、係止爪１２ｃ，１２ｃ、タブ端子Ｔおよびリセプタクル端子Ｒの組み合わせも、特許請求の範囲における「移動規制手段」の一例である。
（４）  また、突起１０ｃが電気ケーブルＣの被覆部材Ｃｂを押圧し、弾性変形させるので、電気ケーブルＣの軸線方向への移動が規制され、電気ケーブルＣと電子部品Ｅとが断線するのを防ぐことができる。
（５）  電子部品収容部１およびタブ端子収容部２が電気ケーブル軸線方向に並んで配置されているので、電気ケーブルＣ，Ｃ間の距離を狭くすることができ、省スペース化に繋がる。
（６）  電子部品Ｅおよび電気ケーブルＣ，Ｃがタブ端子Ｔ，Ｔおよびリセプタクル端子Ｒ，Ｒを介して接続されているので、接続および接続解除が容易である。
（７）  形状の異なる蓋部材２０を複数種類用意し、電気ケーブルＣの径に合わせて適宜選択することで、ケース本体１０は一種類でありながらも複数種類の電気ケーブルに対応することができる。
（８）  天面部２１および天面部２２，２２と天面部２３，２３との間に第一側壁部２４，２４を設けたので、組付時に第二側壁部２５，２５を外側に弾性変形させた場合における変形域が大きくなり、蓋部材２０が壊れにくくなり、その耐久性が高まっている。
つまり、天面部２１，２２と天面部２３とを段違いにしたため、蓋部材２０が図２におけるＸ２矢視で波型の形状となっており、蓋部材２０が弾性を有している。
したがって、第二側壁部２５，２５を外側に開いたときに、天面部２１，２２と第一側壁部２４との連結部分、第一側壁部２４と天面部２３との連結部分、および、天面部２３と第二側壁部２５との連結部分がそれぞれ節（本実施形態では片側に三つの節がある）となるため、各連結部分の外面側および内面側に作用する引張応力および圧縮応力は、節が一つの場合と比較して小さくなる。その結果として、組付時に第二側壁部２５，２５を外側に弾性変形させた場合における変形域が大きくなり、蓋部材２０が壊れにくくなり、その耐久性が高まっている。
（９）  電子部品収容ケースＡは、電子部品Ｅと、電気ケーブルＣの被服部材Ｃｂが除去された部分と、これらの接続部分（本実施形態ではタブ端子Ｔおよびリセプタクル端子Ｒ）と、を収容することができるので、これらを外部からの衝撃や、塵芥などから保護することができる。また、電子部品収容ケースＡは、電気ケーブルＣの接続を保ちつつこれら収容物を絶縁可能に覆っているので、これら収容物に外部の電磁波に起因したノイズが発生することを防ぐことができる。
【００６７】
前記した電子部品収容ケースＡは、車載用電子機器用回路におけるノイズ除去に好適である。また、それ以外の電子機器用回路にも適用可能である。
【００６８】
以上、本発明の実施形態について説明したが、本発明は前記した実施形態に限定されず、本発明の要旨を逸脱しない範囲で適宜設計変更可能である。
例えば、移動規制手段は、前記した突起１０ｃに限定されず、蓋部材２０の天面部２３および第二側壁部２５の内周面に突起を設ける構成であっても良い。
また、移動規制手段として突起１０ｃを設けず、電気ケーブル収容部３の内部空間の径を電気ケーブルＣの外径よりもやや小さく設定し、電気ケーブル収容部３の内壁全体で電気ケーブルＣを押圧し、弾性変形させる構成であっても良い。なお、かかる構成では、電子部品収容ケースＡの長期使用により電気ケーブルＣの被覆部材Ｃｂが縮径したまま硬化した場合に、電気ケーブルＣが軸方向にずれやすくなるおそれがある。しかし、移動規制手段として複数の突起１０ｃを設けた場合には、電気ケーブルＣに縮径部と通常径部とが順に形成されるので、被覆部材Ｃｂが硬化した場合であっても、電気ケーブルＣが軸方向にずれにくくなる。
また、電子部品Ｅの本体部Ｅ１もコンデンサに限定されず、用途に応じた電子部品（電子回路を含む）とすることができる。
また、電気ケーブルＣの本数も２本に限定されず、１本でも良く、３本以上であっても良い。この際には、電気ケーブルＣの本数に合わせて電気ケーブル収容部３を形成すればよい。
また、電子部品Ｅの底面部１１への固定手法も、前記したものに限定されない。
また、タブ端子Ｔおよびリセプタクル端子Ｒを用いず、電子部品Ｅの接続部Ｅ２と電気ケーブルＣの導線Ｃａとを半田付けなどの手法によって直接接続する構成であっても良い。この場合には、タブ端子収容部２を省略することができ、更なる小型化が可能である。
また、組付時におけるケース本体１０および蓋部材２０の固定手法も、前記したものに限定されない。例えば、ケース本体１０および蓋部材２０の一方に設けられた凸部を他方に設けられた凹部に嵌合する構成であっても良い。
また、電子部品収容部１と電気ケーブル収容部３とが連通しておらず、これらの間に壁部が存在している構成であっても良い。この場合には、この壁部の一部に導電部を形成し、この導電部を介して電子部品Ｅと電気ケーブルＣとを電気的に接続することができる。
また、電気ケーブルＣが電子機器Ｄに接続されていない状態で、電気ケーブルＣを電気ケーブル収容部３に挿通させることによって、電気ケーブルの被覆部材Ｃｂが除去された部分を収容しつつ電子部品Ｅと接続する構成であっても良い。
【図面の簡単な説明】
【００６９】
【図１】本発明の実施形態に係る電子部品収容ケースの基本概念を説明するための図であり、（ａ）は電子部品収容ケースの使用前の状態を示す図、（ｂ）は電子部品収容ケースの使用後の状態を示す図である。
【図２】本発明の実施形態に係る電子部品収容ケースを示す斜視図である。
【図３】図２の電子部品収容ケースを示す分解斜視図である。
【図４】図３のケース本体を示す平面図である。
【図５】図３の蓋部材を示す平面図である。
【図６】図２のＸ１−Ｘ１断面図である。
【図７】ケース本体と蓋部材との組付を説明するための図であり、（ａ）は組付前を示す図、（ｂ）は組付後を示す図である。
【図８】本発明の実施形態に係る電子部品収容ケースを用いた、電気ケーブルと電子部品との接続方法を説明するための図である。
【図９】本発明の実施形態に係る電子部品収容ケースを用いた、電気ケーブルと電子部品との接続方法を説明するための図である。
【図１０】本発明の実施形態に係る電子部品収容ケースを用いた、電気ケーブルと電子部品との接続方法を説明するための図である。
【図１１】本発明の実施形態に係る電子部品収容ケースを用いた、電気ケーブルと電子部品との接続方法を説明するための図である。
【符号の説明】
【００７０】
１      電子部品収容部
３      電気ケーブル収容部
１０    ケース本体
１０ｃ  突起（移動規制手段）
１１    電子部品用底面部
１３    電気ケーブル用底面部
２０    蓋部材
２１    電子部品用天面部
２３    電気ケーブル用天面部
Ａ      電子部品収容ケース
Ｃ      電気ケーブル
Ｃａ    導線
Ｃｂ    被覆部材
Ｅ      電子部品
Ｅ１    本体部（電子部品）
【図１】
2006216914.tif 000003
【図２】
2006216914.tif 000004
【図３】
2006216914.tif 000005
【図４】
2006216914.tif 000006
【図５】
2006216914.tif 000007
【図６】
2006216914.tif 000008
【図７】
2006216914.tif 000009
【図８】
2006216914.tif 000010
【図９】
2006216914.tif 000011
【図１０】
2006216914.tif 000012
【図１１】
2006216914.tif 000013